(57)【要約】【課題】電波によって外部との通信を行う電子機器では、通信のための通信ユニットを内蔵しており、その通信ユニットから電波が発信され、あるいは外部からの電波を受信するように構成されている。なお、この通信ユニットは設計上の要請から、電子機器の中心部分ではなく、中心部分から偏った位置に設けられる場合が多い。この通信ユニットが設けられている位置に、上記ブラケット板が重なり、通信ユニットをブラケット板が覆う状態になる場合が考えられる。金属製のブラケット板が通信ユニットを覆うと、通信ユニットが通信に用いる電波を減衰させ、あるいは遮断してしまうおそれがある。【解決手段】電子機器の裏面であって、電子機器の周縁のうち上記通信ユニットから所定の範囲を除く部分を覆うようにブラケット板を形成した。【選択図】  図２
2019153669.tif 000002
【特許請求の範囲】
【請求項１】
建物の壁面に固定されたボックス状の取付部材に対して電子機器を取り付ける際に、取付部材と電子機器との間に介在して、電子機器を取付部材に取り付ける補助となる板状のブラケット板において、上記電子機器の内部に、電子機器の中心部から偏った位置に電波式の通信ユニットを備えると共に、上記ブラケットは金属製であり、上記電子機器の裏面であって、電子機器の周縁のうち上記通信ユニットから所定の範囲を除く部分を覆うように形成されたことを特徴とするブラケット板。
【請求項２】
上記ボックス状の取付部材の開口部は矩形であり、上記ブラケット板はこの開口部の４辺のうちの３辺に対応するコ字状に形成されていることを特徴とする請求項１に記載のブラケット板。
【請求項３】
上記ブラケット板は、上記ブラケット板の３辺のうちの互いに対向する２辺の部分で上記取付部材に対してねじ止めされることを特徴とする請求項２に記載のブラケット板。
【発明の詳細な説明】
【技術分野】
【０００１】
本発明は、建物の壁面に固定されたボックス状の取付部材に対して電子機器を取り付ける際に、取付部材と電子機器との間に介在して、電子機器を取付部材に取り付ける補助となる板状のブラケット板に関する。
【背景技術】
【０００２】
建物の壁面には配線用のボックス状の取付部材が設けられており、この取付部材に電子機器などを取り付ける際には、電子機器と取付部材との間に介在する板状のブラケット板が用いられる。
【０００３】
このブラケット板は、強度や耐久性を考慮して、一般的に鉄などの金属材料で形成されており、ボックス状の取付部材の開口の形状に合わせて、中央部分が打ち抜かれた矩形状に形成されている。
【０００４】
そして、このブラケット板を取付部材にネジ止めし、電子機器は取付部材に固定されたブラケット板に対して取付られる（例えば、特許文献１参照）。
【先行技術文献】
【特許文献】
【０００５】
【特許文献１】特開平１０−１７４２４６号公報（図１）
【発明の概要】
【発明が解決しようとする課題】
【０００６】
上記ブラケット板に取付られる電子機器には種々の形式のものがあり、その中には、外部との通信を行うものがあり、さらに、その通信をＷｉＦｉ（登録商標）などの電波によって行うものがある。
【０００７】
このように、電波によって外部との通信を行う電子機器では、通信のための通信ユニットを内蔵しており、その通信ユニットから電波が発信され、あるいは外部からの電波を受信するように構成されている。なお、この通信ユニットは設計上の要請から、電子機器の中心部分ではなく、中心部分から偏った位置に設けられる場合が多い。
【０００８】
すると、この通信ユニットが設けられている位置に、上記ブラケット板が重なり、通信ユニットをブラケット板が覆う状態になる場合が考えられる。
【０００９】
ブラケット板は、上述のように金属製である場合があり、その金属製のブラケット板が通信ユニットを覆うと、通信ユニットが通信に用いる電波を減衰させ、あるいは遮断してしまうおそれがある。なお、ブラケット板を金属製ではなく樹脂などの電波を阻害しない材料に置き換えることも考えられるが、ブラケット板の機械的強度が低下するため、採用できない場合も多い。
【００１０】
そこで本発明は、上記の問題点に鑑み、金属製のブラケット板であっても、通信ユニットの電波による通信を阻害しないブラケット板を提供することを課題とする。
【課題を解決するための手段】
【００１１】
上記課題を解決するために本発明によるブラケット板は、建物の壁面に固定されたボックス状の取付部材に対して電子機器を取り付ける際に、取付部材と電子機器との間に介在して、電子機器を取付部材に取り付ける補助となる板状のブラケット板において、上記電子機器の内部に、電子機器の中心部から偏った位置に電波式の通信ユニットを備えると共に、上記ブラケットは金属製であり、上記電子機器の裏面であって、電子機器の周縁のうち上記通信ユニットから所定の範囲を除く部分を覆うように形成されたことを特徴とする。
【００１２】
ブラケット板が電子機器の裏面を覆う範囲を上記通信ユニットが設けられている位置を除くことによって、通信ユニットから発信され、あるいは受信される電波をブラケット板が遮断しないようにした。
【００１３】
なお、具体的には、上記ボックス状の取付部材の開口部は矩形であり、上記ブラケット板はこの開口部の４辺のうちの３辺に対応するコ字状に形成される。
【００１４】
また、上記ブラケット板は、上記ブラケット板の３辺のうちの互いに対向する２辺の部分で上記取付部材に対してねじ止めされる。
【発明の効果】
【００１５】
以上の説明から明らかなように、本発明は、ブラケット板を金属製の材料で形成した場合であっても、通信ユニットが設けられている範囲をブラケット板で覆うことがないようにしたので、ブラケット板が通信ユニットにおける通信を阻害することがない。
【図面の簡単な説明】
【００１６】
【図１】正面側からみた分解斜視図
【図２】背面側からみた分解斜視図
【発明を実施するための形態】
【００１７】
図１を参照して、１は内部に電波式の通信ユニットを備えた電子機器の一例である。この電子機器１を、壁面に固定されたボックス状の取付部材２に取り付ける際に、鉄製の板状のブラケット板３を用いる。取付部材２の左右の内面にはネジ止め用の突起２１が内側に向かって突出している。そして、各突起２１にはネジ穴２２が形成されている。
【００１８】
一方、ブラケット板３には、これらネジ穴２２に対応して取付穴３１が設けられている。そして、図示しないネジによってブラケット板３が取付部材２にネジによって固定される。
【００１９】
ブラケット板３には、取付部材２に固定された状態で前方に折り曲げられた４個の取付爪３２が設けられている。そして、電子機器１はこれら４個の取付爪３２に係合することによってブラケット板３に取付られる。
【００２０】
図２を参照して、電子機器１の背面には上記取付爪３２が挿入される縦長の係合穴１１が設けられている。ところで、この電子機器１内には上述のように電波式の通信ユニットが内蔵されており、その通信ユニットはＡに示す範囲に設けられている。そのため、この範囲Ａをブラケット板３が覆うと通信ユニットでの通信を阻害するおそれがあるので、電子機器１がブラケット板３に取付られた状態で、範囲Ａに相当する範囲Ｂにブラケット板３が位置しないように、ブラケット板３を上方に開口したコ字状に形成した。
【００２１】
このように、ブラケット板３をコ字状に形成することによって、ブラケット板３に電子機器１を取付た状態で、通信ユニットの通信をブラケット板３が阻害することがないので、通信ユニットでの通信が正常に行われる。
【００２２】
なお、本発明は上記した形態に限定されるものではなく、本発明の要旨を逸脱しない範囲内において種々の変更を加えてもかまわない。
【符号の説明】
【００２３】
１ 電子機器
２ 取付部材
３ ブラケット板
１１ 係合穴
２１ 突起
２２ ネジ穴
３１ 取付穴
３２ 取付爪
【図１】
2019153669.tif 000003
【図２】
2019153669.tif 000004